(57)【要約】【課題】ビデオ形式が異なる磁気テープに記録されたデジタル情報の記録フォーマットを容易に判別できるようにすると共に、記録フォーマットが相違することによる設定操作を自動化できるようにする。【解決手段】磁気テープ８０からＣＴＬ信号及びデジタル情報を読み取って再生する再生手段６と、この再生手段６により再生されたＣＴＬ信号の波形デューティを検出してデジタル情報の記録フォーマットを判別する判別手段９とを備えるものである。この構成によって、ＣＴＬ信号の波形ピッチが等しくビデオ形式が異なる磁気テープ８０に記録されたデジタル情報の記録フォーマットを容易に判別することができる。しかも、当該デジタル情報の記録フォーマットに関する情報に基づいて自動的に設定操作を実行することができる。【選択図】        図１
2004310860.tif 000002
【特許請求の範囲】
【請求項１】
情報記録媒体からデジタル情報を再生する装置であって、
前記情報記録媒体からサーボ制御信号及びデジタル情報を読み取って再生する再生手段と、
前記再生手段により再生されたサーボ制御信号の波形デューティを検出して前記デジタル情報の記録フォーマットを判別する判別手段とを備えることを特徴とする情報再生装置。
【請求項２】
前記判別手段は、
前記再生手段により再生されたサーボ制御信号の波形デューティを検出するデューティ検出部と、
前記デューティ検出部により検出されたサーボ制御信号の波形デューティと、予め準備された参照波形デューティとを比較して前記デジタル情報の記録フォーマットに関する情報を出力するデューティ比較部とを有することを特徴とする請求項１に記載の情報再生装置。
【請求項３】
前記サーボ制御信号の波形立ち上がりエッジを検出してフィールド周期を判別することを特徴とする請求項１に記載の情報再生装置。
【請求項４】
情報記録媒体からデジタル情報を再生する方法であって、
前記情報記録媒体からサーボ制御信号及びデジタル情報を再生し、
再生された前記サーボ制御信号の波形デューティを検出して前記デジタル情報の記録フォーマットを判別することを特徴とする情報再生方法。
【請求項５】
検出された前記サーボ制御信号の波形デューティと、予め準備された参照波形デューティとを比較して当該デジタル情報の記録フォーマットに関する情報を得るようにしたことを特徴とする請求項４に記載の情報再生方法。
【請求項６】
前記サーボ制御信号の波形立ち上がりエッジを検出してフィールド周期を判別することを特徴とする請求項４に記載の情報再生方法。
【発明の詳細な説明】
【０００１】
【発明の属する技術分野】
本発明は、テープ記録媒体からデジタル情報を再生する家庭用及び業務用のビデオ記録再生装置に適用して好適な情報再生装置及び情報再生方法に関する。詳しくは、情報記録媒体からデジタル情報を再生する場合に判別手段を備え、この情報記録媒体から再生されたサーボ制御信号の波形デューティを検出して当該デジタル情報の記録フォーマットを判別して、サーボ制御信号の波形ピッチが等しくビデオ形式が異なる情報記録媒体に記録されたデジタル情報の記録フォーマットを容易に判別できるようにすると共に、記録フォーマットが相違することによる設定操作を自動化できるようにしたものである。
【０００２】
【従来の技術】
近年、家庭用及び業務用としてテープ記録媒体からビデオデータ及びオーディオデータ等のデジタル情報を再生するビデオ再生装置が使用される場合が多い。この種のビデオ再生装置には、磁気テープを巻回したカセットが装着される。この磁気テープに記録されたビデオデータ及びオーディオデータは、８個の再生用の磁気ヘッド（以下再生ヘッドという）により再生される。磁気テープには所定の記録フォーマットによりビデオデータ及びオーディオデータが記録される。
【０００３】
従来方式では磁気テープ上に記録ヘッドを１スキャンする毎に、その基準となる記録トラックの１箇所に、所定の周波数のサーボ制御信号を記録している。また、編集時には、サーボ制御信号（以下ＣＴＬ信号という）の再生タイミングにより、再生ヘッドを引き込む方向を判断し、この判断結果に基づいてトラッキング目標位置に再生ヘッドを引き込むようになされる。
【０００４】
【発明が解決しようとする課題】
ところで、従来方式によれば、このような１フレーム当たりのセグメント数の違いが、物理的にＣＴＬ信号の波形ピッチの違いにつながることから、ＣＴＬ信号の波形ピッチの違いを利用して記録フォーマットを判別している。このため、次のような問題がある。
【０００５】
▲１▼  １フレーム当たりのセグメント数が等しい記録フォーマットであると、物理的にＣＴＬ信号の波形ピッチが等しい関係になる。つまり、ヘリカルのフットプリント（ＥＣＣ構造およびトラック構成）が同じで、かつ、ＣＴＬ信号の波形ピッチも等しいが、異なったビデオ形式のデジタル情報を記録しているフォーマット同士では、ＣＴＬ信号の波形ピッチを用いただけではビデオ方式を判別することが困難となる。
【０００６】
▲２▼  従って、ビデオ形式が異なる磁気テープを取り扱う場合に、記録フォーマットが相違することによる設定操作を自動的に実行する場合の妨げとなる。
【０００７】
そこで、この発明はこのような従来の課題を解決したものであって、ビデオ形式が異なる情報記録媒体に記録されたデジタル情報の記録フォーマットを容易に判別できるようにすると共に、記録フォーマットが相違することによる設定操作を自動化できるようにした情報再生装置及び情報再生方法を提供することを目的とする。
【０００８】
【課題を解決するための手段】
上述した課題は、情報記録媒体からデジタル情報を再生する装置であって、情報記録媒体からサーボ制御信号及びデジタル情報を読み取って再生する再生手段と、この再生手段により再生されたサーボ制御信号の波形デューティを検出してデジタル情報の記録フォーマットを判別する判別手段とを備えることを特徴とする情報再生装置によって解決される。
【０００９】
本発明に係る情報再生装置によれば、情報記録媒体からデジタル情報を再生する場合に、再生手段では、この情報記録媒体からサーボ制御信号及びデジタル情報を読み取って再生される。これを前提にして、判別手段では、再生手段により再生されたサーボ制御信号の波形デューティを検出して当該デジタル情報の記録フォーマットを判別するようになされる。
【００１０】
例えば、判別手段では、デューティ検出部によって、再生手段により再生されたサーボ制御信号の波形デューティが検出される。デューティ比較部ではデューティ検出部により検出されたサーボ制御信号の波形デューティと、予め準備された参照波形デューティとが比較されて、このデジタル情報の記録フォーマットに関する情報が出力される。
【００１１】
従って、サーボ制御信号の波形ピッチが等しくビデオ形式が異なる情報記録媒体に記録されたデジタル情報の記録フォーマットを判別することができる。これにより、ビデオ形式が異なる情報記録媒体を取り扱う場合に、デューティ比較部から出力される、当該デジタル情報の記録フォーマットに関する情報に基づいて自動的に、記録フォーマットが相違することによる設定操作を実行することができる。
【００１２】
本発明に係る情報再生方法は、情報記録媒体からデジタル情報を再生する方法であって、情報記録媒体からサーボ制御信号及びデジタル情報を再生し、ここで再生されたサーボ制御信号の波形デューティを検出してデジタル情報の記録フォーマットを判別することを特徴とするものである。
【００１３】
本発明に係る情報再生方法によれば、情報記録媒体からデジタル情報を再生する場合に、サーボ制御信号の波形ピッチが等しくビデオ形式が異なる情報記録媒体に記録されたデジタル情報の記録フォーマットを判別することができる。
【００１４】
【発明の実施の形態】
続いて、この発明に係る情報再生装置及び情報再生方法の一実施の形態について、図面を参照しながら説明をする。
図１は、本発明に係る実施形態としての情報再生装置１００の構成例を示すブロック図である。
この実施形態では、サーボ制御信号（ＣＴＬ信号）のハイ・レベルの波形デューティに着目し、この波形デューティを検出することでビデオ方式を判別するようにしたものである。つまり、情報記録媒体からデジタル情報を再生する場合に判別手段を備え、この情報記録媒体から再生されたサーボ制御信号の波形デューティを検出して当該デジタル情報の記録フォーマットを判別するようにして、サーボ制御信号の波形ピッチが等しくビデオ形式が異なる情報記録媒体に記録されたデジタル情報の記録フォーマットを容易に判別できるようにすると共に、記録フォーマットが相違することによる設定操作を自動化できるようにしたものである。
【００１５】
図１に示す情報再生装置１００は、情報記録媒体の一例となる磁気テープ８０からデジタル情報を再生する装置である。情報再生装置１００は図示しない情報記録装置と組み合わせて使用可能となされるものである。もちろん、情報再生装置１００を単独で再生専用機として利用してもよい。
【００１６】
この情報再生装置１００は再生手段６、判別手段９、オーディオ出力端子１８、ビデオ出力端子１９及び、ビデオ伸長回路９０を有している。再生手段６は、磁気テープ８０からサーボ制御信号（以下ＣＴＬ信号という）及びデジタル情報を読み取って再生するものである。例えば、再生手段６はヘリカル再生ヘッド５５、等化復号回路５６、ＣＴＬ再生ヘッド７５、エラー訂正器８１を有している。一方で、ヘリカル再生ヘッド５５では磁気テープ８０の記録トラックからビデオデータＶＤｃが読み取られて再生される。
【００１７】
この例でヘリカル再生ヘッド５５にはＤＴ（Ｄｙｎａｍｉｃ  Ｔｒａｃｋｉｎｇ）駆動器７７が取付けられ、再生ビデオデータ＋再生オーディオデータＶＤｃの記録領域部分をトレースするように、ヘリカル再生ヘッド５５を上下に駆動するようになされる。
【００１８】
ヘリカル再生ヘッド５５には等化復号回路５６が接続される。等化復号回路５６は図示しないが、再生アンプ、波形等化回路及び復号回路から構成される。再生手段６では、まず、記録トラックから読み取られた再生ビデオデータＶＤｃは再生アンプにより増幅される。その後、再生ビデオデータＶＤｃは波形等化回路で波形等化される。更に、復号回路では波形等化後の再生信号に対して、例えばビタビアルゴリズムを利用した復号化の処理が行われ、図示しない記録系のパリティ付加回路から出力される記録ビデオデータに対応した再生ビデオデータＶＤｃが得られる。
【００１９】
等化復号回路５６にはエラー訂正器８１が接続され、例えば、ＥＣＣデコーダが使用される。エラー訂正器８１では、等化復号回路５６より出力される再生ビデオデータ＋再生オーディオデータＶＤｃのエラー訂正が行われる。このエラー訂正器８１では、この再生ビデオデータ＋再生オーディオデータＶＤｃに付加されているパリティ（Ｃ１パリティ、Ｃ２パリティ）を用いてエラー訂正が行われる。エラー訂正後の圧縮符号化データはビデオデータＤｖであり、再生オーディオ信号ＡＳｏｕｔである。このエラー訂正器８１より出力される再生オーディオ信号ＡＳｏｕｔは出力端子１８に出力される。
【００２０】
エラー訂正器８１にはビデオ伸張回路９０が接続され、このエラー訂正器８１より出力されるエラー訂正後のビデオデータ（圧縮符号化データ）Ｄｖが図示しない記録系のビデオ圧縮回路とは逆の処理によってデータ伸長が行われる。そして、このビデオ伸長回路９０より出力される再生ビデオ信号ＶＳｏｕｔは出力端子１９に出力される。
【００２１】
他方、ＣＴＬ再生ヘッド７５では磁気テープ８０の記録トラックのサーボパイロットからＣＴＬ信号が再生される。ＣＴＬ再生ヘッド７５にはキャプスタンドラムサーボ７６が接続され、ＣＴＬ信号に基づいてキャプスタンドラムを駆動するようになされる。この例でＣＴＬ信号は、磁気テープ８０から再生ビデオデータＶＤｃを読み出して再生するときの基準となる。
【００２２】
このキャプスタンドラムサーボ７６には判別手段９が接続され、この再生手段６により再生されたＣＴＬ信号の波形デューティを検出してデジタル情報（再生ビデオデータ＋再生オーディオデータ）の記録フォーマットを判別するようになされる。例えば、判別手段９は、デューティ検出部９１、メモリ部９２及びデューティ比較部９３を有している。メモリ部９２には予め準備された参照波形デューティが記憶される。
【００２３】
参照波形デューティの内容は、１９２０画素×１０８８画素の画枠に対応するフレームの記録フォーマットを見出すための、ＣＴＬ信号のハイ・レベル（以下「Ｈ」レベルという）の区間に関して、６５％、５０％、３５％、５０％の波形デューティである。また、２０４８画素×１０２４画素の画枠に対応するフレームの記録フォーマットを見出すための、ＣＴＬ信号の「Ｈ」レベルの区間に関して、６５％、３５％、５０％、３５％の波形デューティである。
【００２４】
デューティ検出部９１では、キャプスタンドラムサーボ７６から出力されるＣＴＬ信号の波形デューティを検出するようになされる。デューティ検出部９１及びメモリ部９２にはデューティ比較部９３が接続され、このデューティ検出部９１により検出されたＣＴＬ信号の波形デューティと、予め準備された参照波形デューティとを比較して再生ビデオデータ＋再生オーディオデータＶＤｃの記録フォーマットに関する情報を出力するようになされる。
【００２５】
例えば、ＣＴＬ信号の「Ｈ」レベルの区間の波形デューティに関して、６５％、５０％、３５％、５０％の場合は１９２０画素×１０８８画素の画枠に対応するフレームの再生ビデオデータ＋再生オーディオデータＶＤｃの記録フォーマットであると判別する。また、その波形デューティに関して、６５％、３５％、５０％、３５％の場合は２０４８画素×１０２４画素の画枠に対応するフレームの再生ビデオデータ＋再生オーディオデータＶＤｃの記録フォーマットであると判別するようになされる。この１９２０画素×１０８８画素の画枠に対応するフレームを規定する記録フォーマットによれば、高画質再生に適しており、２０４８画素×１０２４画素の画枠に対応するフレームを規定する記録フォーマットによれば、パーソナルコンピュータをベースに画像処理する場合に適している。
【００２６】
このデューティ比較部９３にはＣＰＵ（中央処理ユニット）２５が接続され、ＣＴＬ信号の波形立ち上がりエッジを検出してフィールド周期を判別する。例えば、ＣＴＬ信号のアップ（ＵＰ）エッジの周期がＮセグメント（Ｓｅｇｍｅｎｔ）である場合に、ＣＰＵ２５はＮセグメント／フィールドのフォーマットと判別する。更に、ＣＰＵ２５では、ＣＴＬ信号のＵＰエッジの周期が２Ｎセグメントである場合に、２Ｎセグメント／フィールドのフォーマットであると判別する。
【００２７】
この判別結果に基づいてＣＰＵ２５は再生手段６を制御する。例えば、ＣＰＵ２５はＣＴＬ信号の波形デューティを検出し、当該波形デューティに基づいて当該フレームの再生ビデオデータ＋再生オーディオデータＶＤｃを再生するようにエラー訂正器８１を制御する。
【００２８】
図２は、図１に示した情報再生装置１００に係る回転ドラム１４０の構成例を示す概念図である。図２に示す回転ドラム１４０には、ヘリカル再生ヘッド（磁気ヘッド）５５が装備される。もちろん、記録機能を組み合わせる場合には、ヘリカル記録ヘッドが備えられる。
【００２９】
例えば、回転ドラム１４０には、１８０度の巻き付け角度をもって、磁気テープ８０が斜めに巻き付けられる。磁気テープ８０は、回転ドラム１４０にこのように巻き付けられた状態で、所定速度で走行するようにされる。この回転ドラム１４０には、８個の再生ヘッドＰＢＡ〜ＰＢＨが配置される。例えば、４個の再生ヘッドＰＢＡ〜ＰＢＤに対して１８０度の角間隔をもって４個の再生ヘッドＰＢＥ〜ＰＢＨが配置されている。
【００３０】
図３は、磁気テープ８０における記録フォーマット例を示している。図３に示す磁気テープ８０は、ビデオデータ及びオーディオデータ等のデジタル情報を記録した媒体である。この磁気テープ８０には、その長手方向に対して傾斜したトラックＴが順次形成される。この場合、互いに隣接する２本のトラックＴにおける記録アジマスは異なるようにされる。トラックＴの走査開始端側および走査終了端側の領域は、それぞれビデオデータ領域ＡＲＶＬ，ＡＲＶＵに割り当てられている。このビデオデータ領域ＡＲＶＬ，ＡＲＶＵには、図示しないパリティ付加回路より出力されるビデオデータＤｖが記録される。また、トラックＴのビデオ領域ＡＲＶＬ，ＡＲＶＵに挟まれた領域は、オーディオデータ領域ＡＲＡに割り当てられている。この領域ＡＲＡにはオーディオデータＤａが記録される。
【００３１】
図４は情報再生装置１００におけるフットプリントの例を示す図である。図５はビデオデータＤｖの積符号の構成例を示す図である。この例では、１フィールドのビデオデータＤｖは、各々の１２トラックに記録される。記録時および再生時には、１回のスキャンでは４個のヘッドによって４トラックが同時に走査され、従って、１２トラックは３回のスキャンで走査される。
【００３２】
図４に示すフットプリント（ＥＣＣ構成およびデータ記録形式）は、図示しないヘリカル記録ヘッドによって記録されるフォーマットである。図４に示すフットプリントの１２トラックにおいて、図３に示したビデオデータ領域ＡＲＶＵは上方のビデオシンク（ｓｙｎｃ：（Ｍ））に配置され、このビデオシンク（Ｍ）には、図５に示すようなブロック「０」〜テーブル「３５」までの、３６個のＥＣＣブロック（符号化単位のデータ）が記録される。
【００３３】
同様にして、図４に示す下方のビデオシンク（Ｍ）には図３に示したビデオデータ領域ＡＲＶＬが配置され、このビデオシンク（Ｍ）には、図５に示すようなブロック「０」〜ブロック「３５」までの、３６個のＥＣＣブロック（符号化単位のデータ）が記録される。上下の各々のビデオシンク（Ｍ）の大きさは１２トラック×１８９バイトである。この上下のビデオシンク（Ｍ）の間にはオーディオシンク（Ｎ）が配置され、オーディオデータＤａが記録される。オーディオシンク（Ｎ）は、８つに区分され、１区分の大きさは４バイト×１２トラックである。
【００３４】
ここで下方のビデオシンク（Ｍ）側から、上方のビデオシンク（Ｍ）側へ図示しない記録ヘッドを走査するものとすると、第１区分にはオーディオデータＡ１，Ａ９，Ａ５が配置され、第２区分にはオーディオデータＡ２，Ａ１０，Ａ６が配置され、第３区分にはオーディオデータＡ３，Ａ１１，Ａ７が配置され、第４区分にはオーディオデータＡ４，Ａ１２，Ａ８が配置され、第５区分にはオーディオデータＡ５，Ａ１，Ａ９が配置され、第６区分にはオーディオデータＡ６，Ａ２，Ａ１０が配置され、第７区分にはオーディオデータＡ７，Ａ３，Ａ１１が配置され、第８区分にはオーディオデータＡ８，Ａ４，Ａ１２が各々配置される。
【００３５】
また、上方のビデオシンク（Ｍ）と第８区分目のオーディオシンク（Ｎ）との間にはギャップＧａｖが配置される。各区分のオーディオシンク間にはギャップＧａａが配置される。第１区分目のオーディオシンク（Ｎ）と下方のビデオシンク（Ｍ）との間にはサーボパイロット（ＣＴＬ信号）が配置されている。下方のビデオシンク（Ｍ）とサーボパイロットと間にはギャップＧｓａが配置され、このサーボパイロットと下方のビデオシンク（Ｍ）との間にはギャップＧｖｓが配置される。再生時に信号処理スペースを採るためである。
【００３６】
１個のＥＣＣブロックは、以下のように構成されている。すなわち、図５に示す２２６バイト×１１４バイトのデータ配列からなるビデオデータに対して、矢印ｂで示す外符号演算データ系列につき、各列のデータ（データ列）が例えば（１２６，１１４）リードソロモン符号によって符号化され、１２バイトのＣ２パリティ（外符号パリティ：ＯＵＴＥＲ）が生成される。さらに、これらビデオデータおよびＣ２パリティに対して、図５に示す矢印ａで示す内符号演算データ系列につき、各行のデータ（データ列）が例えば（２４２，２２６）リードソロモン符号によって符号化され、１６バイトのＣ１パリティ（内符号パリティ：ＩＮＮＥＲ）が生成される。また、各々のデータ行の先頭には、それぞれ２バイトの大きさを有するシンクデータおよびＩＤが配される。
【００３７】
図６に示す先頭の２バイトはシンクデータである。続く、２バイトはＩＤである。このＩＤには、当該１シンクブロックが１２トラックのいずれに記録されたものかを識別するトラックＩＤ、当該１シンクブロックが一本の傾斜トラックに記録された複数のシンクブロックのいずれであるかを識別するシンクブロックＩＤが含まれる。また、１２トラック毎に１セグメントが構成され、「０〜３」のセグメント番号が順次繰り返し付与されるが、上述の２バイトのＩＤには、当該１シンクブロックが記録されるセグメントのセグメント番号を示すセグメントＩＤも含まれる。また、このＩＤに、２２６バイトのビデオデータ（またはＣ２パリティ）および１６バイトのＣ１パリティが続く。
【００３８】
図７Ａ〜Ｃは、１セグメントを構成する１２トラック内のビデオデータ領域ＡＲＶＬ，ＡＲＶＵにおける各ＥＣＣブロックの１シンクブロックの配置例（その１）を示す図である。図７Ａに示すように、１回目にスキャンされる「０〜３」の４トラックに関しては、ビデオデータ領域ＡＲＶＬには「０〜３５」のＥＣＣブロックにおける０Ｒｏｗ〜２０Ｒｏｗまでの２１Ｒｏｗのシンクブロックが記録され、ビデオデータ領域ＡＲＶＵには「０〜３５」のＥＣＣブロックにおける２１Ｒｏｗ〜４１Ｒｏｗまでの２１Ｒｏｗのシンクブロックが記録される。
【００３９】
また、２回目にスキャンされる「４〜７」の４トラックに関しては、ビデオデータ領域ＡＲＶＬには「０〜３５」のＥＣＣブロックにおける４２Ｒｏｗ〜６２Ｒｏｗまでの２１Ｒｏｗのシンクブロックが記録され、ビデオデータ領域ＡＲＶＵには０〜３５のＥＣＣブロックにおける６３Ｒｏｗ〜８３Ｒｏｗまでの２１Ｒｏｗのシンクブロックが記録される。
【００４０】
さらに、３回目にスキャンされる「８〜１１」の４トラックに関しては、ビデオデータ領域ＡＲＶＬには「０〜３５」のＥＣＣブロックにおける８４Ｒｏｗ〜１０４Ｒｏｗまでの２１Ｒｏｗのシンクブロックが記録され、ビデオデータ領域ＡＲＶＵには「０〜３５」のＥＣＣブロックにおける１０５Ｒｏｗ〜１２５Ｒｏｗまでの２１Ｒｏｗのシンクブロックが記録される。
【００４１】
ここで、０Ｒｏｗのシンクブロックは、「０〜３５」のＥＣＣブロックのそれぞれにおける０番目のシンクブロックから構成されており、これら３６個のシンクブロックは、図７Ｂに示すように、「０〜４」のトラックに、９シンクブロックずつ振り分けられて記録される。つまり、「０」のトラックには「０，１８，１，１９，２，２０，３，２１，４」のＥＣＣブロックにおける０番目のシンクブロックが記録され、「１」のトラックには「２２，５，２３，６，２４，７，２５，８，２６」のＥＣＣブロックにおける０番目のシンクブロックが記録され、「２」のトラックには「９，２７，１０，２８，１１，２９，１２，３０，１３」のＥＣＣブロックにおける０番目のシンクブロックが記録され、さらに「３」のトラックには「３１，１４，３２，１５，３３，１６，３４，１７，３５」のＥＣＣブロックにおける０番目のシンクブロックが記録される。
【００４２】
以下、同様に、１〜１２５Ｒｏｗのシンクブロックは、それぞれ「０〜３５」のＥＣＣブロックにおける１番目〜１２５番目のシンクブロックから構成されており、各３６個のシンクブロックは対応する４トラックに９シンクブロックずつ振り分けられて記録される。この場合、Ｒｏｗ毎に、４トラックのそれぞれに記録される９シンクブロックが取り出されるＥＣＣブロックがローテーションされる。なお、１シンクブロックは、図７Ｃに示すように、２バイトのシンクデータ、２バイトのＩＤ、２２６バイトのビデオデータ（またはＣ２パリティ）および１６バイトのＣ１パリティから構成されている。
【００４３】
ここで、「０〜１１」の１２トラックには、０Ｒｏｗ〜１２５Ｒｏｗのシンクブロックが順次記録される。この場合、０Ｒｏｗ〜１１３Ｒｏｗのシンクブロックは、内符号演算データ系列を構成するビデオデータのデータ列にＣ１パリティが付加されてなるものであるが、１１４Ｒｏｗ〜１２５Ｒｏｗのシンクブロックは、内符号演算データ系列を構成するＣ２パリティのデータ列にＣ１パリティが付加されてなるものである。
【００４４】
図８は、１セグメントを構成する１２トラックのビデオデータ領域ＡＲＶＬ，ＡＲＶＵにおける各ＥＣＣブロックの１シンクブロックの配置例（その２）を示す図である。この実施形態においては、１２トラックに「０〜３５」の３６個のＥＣＣブロックを記録する際に、図８に示すように、最初は内符号演算データ系列を構成するビデオデータのデータ列にＣ１パリティが付加されてなる第１のシンクブロックが順次記録され、この第１のシンクブロックの記録が終了した後に、内符号演算データ系列を構成するＣ２パリティのデータ列にＣ１パリティが付加されてなる第２のシンクブロックが順次記録される。
【００４５】
図９はエラー訂正器８１の内部構成例を示すブロック図である。図９に示すエラー訂正器８１は、ＳＤＲＡＭ４１と、このＳＤＲＡＭ４１に対する書き込みおよび読み出しを行うためのインタフェースであるＳＤＲＡＭインタフェース４２とを有している。ＳＤＲＡＭ４１は、複数フィールドのビデオデータ＋オーディオデータを記憶し得る容量を持っている。この場合、ＳＤＲＡＭ４１には、各フィールドについて、３６個のＥＣＣブロック（図４参照）に対応したメモリ空間が用意されている。
【００４６】
このＳＤＲＡＭインタフェース４２には、入力書き込みバッファ４３が接続され、図示しないＣ１訂正回路から供給される再生ビデオデータ（圧縮符号化データ）＋再生オーディオデータＶＤｃをＳＤＲＡＭ４１に書き込むためのバッファとなされる。ＳＤＲＡＭインタフェース４２には、ビデオ用のＣ２読み出しバッファ４４が接続され、ＳＤＲＡＭ４１から読み出される３６個のＥＣＣブロックに対応した再生ビデオデータＤｖを後述するビデオ用のＣ２訂正器４５に供給するためのバッファとなされる。
【００４７】
このＣ２読み出しバッファ４４には、Ｃ２訂正器４５が接続され、各フィールドについて、３６個のＥＣＣブロックにおけるＣ２パリティ（外符号パリティ）を演算するようになされる。Ｃ２訂正器４５は、Ｃ２パリティを演算する演算器を３６個有しており、上述した３６個のＥＣＣブロックにおけるＣ２パリティを並行して演算できるようになされる。そのため、Ｃ２読み出しバッファ４４からＣ２訂正器４５には、３６個のＥＣＣブロックに対応したビデオデータが並行して供給される。またその場合、各ＥＣＣブロックのビデオデータは、「０〜１１３」のシンクブロックのデータの順に供給される。
【００４８】
また、Ｃ２訂正器４５にはＣ２書き込みバッファ４６が接続され、各フィールドについて、Ｃ２訂正器４５で演算された３６個のＥＣＣブロックにおけるＣ２パリティをＳＤＲＡＭ４１に書き込むためのバッファとなされる。さらに、ＳＤＲＡＭインタフェース４２にはビデオ用の出力バッファ４１０が接続され、各フィールドについて、ＳＤＲＡＭ４１から読み出される、３６個のＥＣＣブロックに対応したビデオデータおよびＣ２パリティを出力するためのバッファとなされる。Ｃ２訂正後のビデオデータ（ビデオＣ２訂正器出力）Ｄｖはビデオ伸長回路９０へ出力される。
【００４９】
上述のＳＤＲＡＭインタフェース４２にはオーディオ用のＣ２読み出しバッファ４７が接続され、各フィールドについて、ＳＤＲＡＭ４１から読み出される、２４個のＥＣＣブロックに対応したオーディオデータＤａおよびＣ２パリティを出力するためのバッファとなされる。また、オーディオ用のＣ２読み出しバッファ４７には、オーディオＣ２訂正器４８が接続され、各フィールドについて、２４個のＥＣＣブロックにおけるＣ２パリティ（外符号パリティ）を演算するようになされる。Ｃ２訂正器４８には出力バッファ４１０が接続され、各フィールドについて、２４個のＥＣＣブロックに対応したオーディオデータＤａおよびＣ２パリティを出力するためのバッファとなされる。Ｃ２訂正後のオーディオデータ（オーディオＣ２訂正器出力）は再生オーディオ信号ＡＳｏｕｔとなって出力端子１８へ出力される。
【００５０】
次に、磁気テープ８０における記録フォーマットについて説明をする。図１０Ａ及びＢは１セグメント／周期のデジタル情報とＣＴＬ信号との関係例、図１１Ａ及びＢは２セグメント／周期のデジタル情報とＣＴＬ信号との関係例を各々の示す記録フォーマットである。各々の記録フォーマットは、図４に示した同一のフットプリントをベースに構成したものであり、１フレーム（Ｐｉｃｔｕｒｅ）当たりのＣＴＬ信号のアップエッジの数が等しくなっている。
【００５１】
図１０Ａに示す記録フォーマットは、１セグメント／周期に設定時の１９２０画素×１０８８画素の画枠に対応するフレームの再生ビデオデータ＋再生オーディオデータＶＤｃとＣＴＬ信号との関係を規定するものである。ＣＴＬ信号の「Ｈ」レベルの区間は、波形デューティが６５％、５０％、３５％、５０％に設定されている。
【００５２】
この記録フォーマットによれば、１セグメントのデジタル情報がＣＴＬ信号の１周期に記録される。この例で波形デューティ＝６５％の周期に、フィールドＦ０〜ｆ０のビデオデータ（Ｖｉｄｅｏ）及びオーディオデータ（Ａｕｄｉｏ）が記録される。これに続く、波形デューティ＝５０％の周期に、フィールドＦ０〜ｆ１のビデオデータ及びオーディオデータが記録される。更に続く、波形デューティ＝３５％の周期に、フィールドＦ１〜ｆ０のビデオデータ及びオーディオデータが記録される。更に、波形デューティ＝５０％の周期に、フィールドＦ１〜ｆ１のビデオデータ及びオーディオデータが記録される。
【００５３】
図１０Ｂに示す記録フォーマットは、１セグメント／周期に設定時の２０４８画素×１０２４画素の画枠に対応するフレームの再生ビデオデータ＋再生オーディオデータＶＤｃとＣＴＬ信号との関係を規定するものである。ＣＴＬ信号の「Ｈ」レベルの区間は、波形デューティが６５％、３５％、５０％、３５％に設定されている。
【００５４】
この記録フォーマットによれば、１セグメントのデジタル情報がＣＴＬ信号の１周期に記録される。この例で波形デューティ＝６５％の周期に、フィールドＦ０〜ｆ０のビデオデータ（Ｖｉｄｅｏ）及びオーディオデータ（Ａｕｄｉｏ）が記録される。これに続く、波形デューティ＝３５％の周期に、フィールドＦ０〜ｆ１のビデオデータ及びオーディオデータが記録される。更に続く、波形デューティ＝５０％の周期に、フィールドＦ１〜ｆ０のビデオデータ及びオーディオデータが記録される。更に、波形デューティ＝３５％の周期に、フィールドＦ１〜ｆ１のビデオデータ及びオーディオデータが記録される。
【００５５】
このように、１セグメント／周期の設定時の１９２０画素×１０８８画素の画枠に対応するフレームと、１セグメント／周期の設定時の２０４８画素×１０２４画素の画枠に対応するフレームとの間でＣＴＬ信号の「Ｈ」レベルの波形デューティが異なっている。この波形デューティを検出することで、ビデオ形式を判別できるようになる。
【００５６】
図１１Ａに示す記録フォーマットは、２セグメント／周期に設定時の１９２０画素×１０８８画素の画枠に対応するフレームの再生ビデオデータ＋再生オーディオデータＶＤｃとＣＴＬ信号との関係を規定するものである。ＣＴＬ信号の「Ｈ」レベルの区間は、波形デューティが６５％、５０％、３５％、５０％に設定されている。
【００５７】
この記録フォーマットによれば、２セグメントのデジタル情報がＣＴＬ信号の１周期に記録される。この例で波形デューティ＝６５％の周期に、フィールドＦ０〜ｆ０のビデオデータ（Ｖｉｄｅｏ）、フィールドＦ０〜ｆ０及びＦ０〜ｆ１のオーディオデータ（Ａｕｄｉｏ）が記録される。これに続く、波形デューティ＝５０％の周期に、フィールドＦ０〜ｆ１のビデオデータ、フィールドＦ０〜ｆ０及びＦ０〜ｆ１のオーディオデータが記録される。更に続く、波形デューティ＝３５％の周期に、フィールドＦ１〜ｆ０のビデオデータ、フィールドＦ１〜ｆ０及びＦ１〜ｆ１のオーディオデータが記録される。更に、波形デューティ＝５０％の周期に、フィールドＦ１〜ｆ１のビデオデータ、フィールドＦ１〜ｆ０及びＦ１〜ｆ１オーディオデータが各々記録される。
【００５８】
図１１Ｂに示す記録フォーマットは、２セグメント／周期に設定時の２０４８画素×１０２４画素の画枠に対応するフレームの再生ビデオデータ＋再生オーディオデータＶＤｃとＣＴＬ信号との関係を規定するものである。ＣＴＬ信号の「Ｈ」レベルの区間は、波形デューティが６５％、３５％、５０％、３５％に設定されている。
【００５９】
この記録フォーマットによれば、２セグメントのデジタル情報がＣＴＬ信号の１周期に記録される。この例で波形デューティ＝６５％の周期に、フィールドＦ０〜ｆ０のビデオデータ（Ｖｉｄｅｏ）、フィールドＦ０〜ｆ０及びＦ０〜ｆ１のオーディオデータ（Ａｕｄｉｏ）が記録される。これに続く、波形デューティ＝３５％の周期に、フィールドＦ０〜ｆ１のビデオデータ、フィールドＦ０〜ｆ０及びＦ０〜ｆ１のオーディオデータが記録される。更に続く、波形デューティ＝５０％の周期に、フィールドＦ１〜ｆ０のビデオデータ、フィールドＦ１〜ｆ０及びＦ１〜ｆ１のオーディオデータが記録される。更に、波形デューティ＝３５％の周期に、フィールドＦ１〜ｆ１のビデオデータ、フィールドＦ１〜ｆ０及びＦ１〜ｆ１のオーディオデータが各々記録される。
【００６０】
このように、２セグメント／周期の設定時の１９２０画素×１０８８画素の画枠に対応するフレームと、２セグメント／周期の設定時の２０４８画素×１０２４画素の画枠に対応するフレームとの間でＣＴＬ信号の「Ｈ」レベルの波形デューティが異なっている。また、１セグメント／周期及び２セグメント／周期であってもビデオ形式（信号形式）が異なっている。そこで、この波形デューティを検出し基準値と比較することで、ビデオ形式を容易に判別できるようになる。
【００６１】
続いて、本発明に係る情報再生方法について、当該情報再生装置１００における動作例を説明する。この実施例では、磁気テープ８０からデジタル情報を再生する場合を前提とし、磁気テープ８０からＣＴＬ信号及びデジタル情報を再生し、ここで再生されたＣＴＬ信号の波形デューティを検出してデジタル情報の記録フォーマットを判別する場合を例に挙げる。
【００６２】
図１に示した情報再生装置１００では、通常表示用の１フレームのデジタル情報に対応した誤り訂正構成及び情報記録形式の単位で、磁気テープ８０から当該フレームのビデオデータ及びオーディオ信号を得るようになされる。このビデオデータを再生する際に、磁気テープ８０のサーボパイロットからＣＴＬ信号が再生される。ここで再生されたＣＴＬ信号の波形デューティを検出してビデオデータの記録フォーマットを判別する。
【００６３】
これらを前提にして、図１に示したヘリカル再生ヘッド５５では、ＤＴ駆動器７７により再生位置が制御され、磁気テープ８０の記録トラックからフレーム単位に再生ビデオデータ＋再生オーディオデータＶＤｃを読み取って再生するようになされる。例えば、磁気テープ８０の走行方向において、ＤＴ駆動器７７によりヘリカル再生ヘッド５５の高さを調整してトレース位置が制御される。
【００６４】
ここで再生された再生ビデオデータ＋再生オーディオデータＶＤｃは、ヘリカル再生ヘッド５５から等化復号回路５６へ出力される。等化復号回路５６では、ヘリカル再生ヘッド５５から出力された再生ビデオデータ＋再生オーディオデータＶＤｃが増幅された後に波形等化される。更に、波形等化後の再生信号は、例えばビタビアルゴリズムを利用した復号化処理が施される。この処理の結果、図示しない記録系のパリティ付加回路から出力される記録ビデオデータに対応した再生ビデオデータ＋再生オーディオデータＶＤｃが得られる。
【００６５】
この再生ビデオデータ＋再生オーディオデータＶＤｃは、等化復号回路５６からエラー訂正器８１に出力される。エラー訂正器８１では、等化復号回路５６より出力された再生ビデオデータＶＤｃのエラー訂正が行われる。このエラー訂正器８１では、このビデオデータＤｖに付加されているパリティ（Ｃ１パリティ、Ｃ２パリティ）を用いてエラー訂正が行われる。エラー訂正後の圧縮符号化データはビデオデータＤｖ及びオーディオデータＤａである。
【００６６】
ビデオデータＤｖはエラー訂正器８１からビデオ伸張回路９０へ出力される。ビデオ伸張回路９０では、このエラー訂正器８１より出力されたエラー訂正後のビデオデータＤｖが図示しない記録系のビデオ圧縮回路とは逆の処理によってデータ伸長が行われる。そして、このビデオ伸長回路９０より出力される再生ビデオ信号ＬＳｏｕｔは出力端子１９に出力される。この出力端子１９には、通常の映像表示装置のビデオ入力が接続される。なお、エラー訂正後のオーディオデータＤａは再生オーディオ信号ＡＳｏｕｔとなって出力端子１８に出力される。出力端子１８には通常の映像表示装置のオーディオ入力が接続される。
【００６７】
他方、ＣＴＬ再生ヘッド７５では磁気テープ８０の記録トラックのサーボパイロットからＣＴＬ信号（サーボ制御信号）が再生される。このＣＴＬ信号はＣＴＬ再生ヘッド７５からキャプスタンドラムサーボ７６へ出力される。キャプスタンドラムサーボ７６ではＣＴＬ信号に基づいてキャプスタンドラムを駆動するようになされる。この例でＣＴＬ信号は、磁気テープ８０から再生ビデオデータＤｖを再生するときの基準となされる。ＣＴＬ信号は、キャプスタンドラムサーボ７６から判別手段９へ出力される。
【００６８】
この判別手段９のデューティ検出部９１では、キャプスタンドラムサーボ７６から出力されたＣＴＬ信号の波形デューティが検出される。このとき、図１に示したデューティ比較部９３では、デューティ検出部９１により検出されたＣＴＬ信号の波形デューティと、メモリ部９２から読み出した参照波形デューティとが比較される。例えば、ＣＴＬ信号の「Ｈ」レベルの区間である波形デューティが検出され、この波形デューティに関して、図１０Ａに示したように６５％、５０％、３５％、５０％の場合は、１９２０画素×１０８８画素の画枠に対応するフレームの再生ビデオデータ＋再生オーディオデータＶＤｃの記録フォーマットであると判別する。
【００６９】
更に、デューティ比較部９３に接続されたＣＰＵ２５では、ＣＴＬ信号の波形立ち上がりエッジを検出してフィールド周期を判別する。例えば、ＣＴＬ信号のアップ（ＵＰ）エッジの周期がＮセグメント（Ｓｅｇｍｅｎｔ）である場合に、ＣＰＵ２５はＮセグメント／フィールドの記録フォーマットと判別する。また、ＣＰＵ２５では、ＣＴＬ信号のＵＰエッジの周期が２Ｎセグメントである場合に、２Ｎセグメント／フィールドの記録フォーマットであると判別する。
【００７０】
例えば、図１１Ａに示した２セグメント／フィールドの場合であって、その波形デューティに関して、６５％、３５％、５０％、３５％の場合は１９２０画素×１０８８画素の画枠に対応するフレームの再生ビデオデータ＋再生オーディオデータＶＤｃの記録フォーマットであると判別するようになされる。このフレームの再生ビデオデータ＋再生オーディオＶＤｃの記録フォーマットに関する情報がデューティ比較部９３からＣＰＵ２５に出力される。ＣＰＵ２５ではＣＴＬ信号の波形立ち上がりエッジを検出してフィールド周期を判別する。そして、ＣＰＵ２５は、この判別結果に基づいて再生手段６を制御する。例えば、ＣＰＵ２５は当該波形デューティに基づいてエラー訂正器８１を制御するようになされる。
【００７１】
このように、本発明に係る実施形態としての情報再生装置及び情報再生方法によれば、磁気テープ８０からデジタル情報を再生する場合に、この磁気テープ８０から再生されたＣＴＬ信号の波形デューティを検出して当該デジタル情報の記録フォーマットを判別する判別手段９が備えられ、この判別手段９では、デューティ検出部９１によって、磁気テープ８０から再生されたＣＴＬ信号の波形デューティが検出される。デューティ比較部９３ではデューティ検出部９１により検出されたＣＴＬ信号の波形デューティと、予め準備された参照波形デューティとが比較されて、このデジタル情報の記録フォーマットに関する情報がＣＰＵ２５に出力するようになされる。
【００７２】
従って、ＣＴＬ信号の波形ピッチが等しくビデオ形式が異なる磁気テープ８０に記録されたデジタル情報の記録フォーマットを判別することができる。例えば、ＣＴＬ信号の波形ピッチが等しい場合であって、１セグメント／周期の設定時の１９２０画素×１０８８画素の画枠に対応するフレームと、１セグメント／周期の設定時の２０４８画素×１０２４画素の画枠に対応するフレームと、２セグメント／周期の設定時の１９２０画素×１０８８画素の画枠に対応するフレームと、２セグメント／周期の設定時の２０４８画素×１０２４画素の画枠に対応するフレームのように、磁気テープ８０に記録されたデジタル情報のビデオ形式を判別することができる。
【００７３】
これにより、ビデオ形式が異なる磁気テープ８０を取り扱う場合に、デューティ比較部９３から出力される、当該デジタル情報の記録フォーマットに関する情報に基づいて記録フォーマットが相違することによる設定操作を自動的に実行することができる。
【００７４】
この実施形態では、情報再生装置に関して再生専用機の場合について説明したが、これに限られることはなく、情報記録再生装置、いわゆるビデオテープレコーダ（ＶＴＲ）に適用できることは言うまでもない。
【００７５】
【発明の効果】
以上説明したように、本発明に係る情報再生装置及び情報再生方法によれば、情報記録媒体からデジタル情報を再生する場合に、この情報記録媒体から再生されたサーボ制御信号の波形デューティを検出して当該デジタル情報の記録フォーマットを判別する判別手段を備えるものである。
【００７６】
この構成によって、サーボ制御信号の波形ピッチが等しくビデオ形式が異なる情報記録媒体に記録されたデジタル情報の記録フォーマットを判別することができる。従って、ビデオ形式が異なる情報記録媒体を取り扱う場合に、記録フォーマットが相違することによる設定操作を自動化することができる。
【００７７】
この発明は、テープ記録媒体からデジタル情報を再生する家庭用及び業務用のビデオ記録再生装置に適用して極めて好適である。
【図面の簡単な説明】
【図１】本発明に係る実施形態としての情報再生装置１００の構成例を示すブロック図である。
【図２】図１に示した情報再生装置１００に係る回転ドラム１４０の構成例を示す概念図である。
【図３】磁気テープ８０における記録フォーマット例を示す図である。
【図４】情報再生装置１００におけるフットプリント例を示す図である。
【図５】ビデオデータＤｖの積符号に係るＥＣＣブロックの構成例を示す図である。
【図６】ＥＣＣブロックにおける１シンクブロックの構成例を示す図である。
【図７】Ａ〜Ｃは、１セグメントを構成する１２トラック内のビデオデータ領域ＡＲＶＬ，ＡＲＶＵにおける各ＥＣＣブロックの１シンクブロックの配置例（その１）を示す図である。
【図８】１セグメントを構成する１２トラックのビデオデータ領域ＡＲＶＬ，ＡＲＶＵにおける各ＥＣＣブロックの１シンクブロックの配置例（その２）を示す図である。
【図９】エラー訂正器８１の内部構成例を示すブロック図である。
【図１０】Ａ及びＢは１セグメント／周期のデジタル情報とＣＴＬ信号との関係例を示す記録フォーマットである。
【図１１】Ａ及びＢは２セグメント／周期のデジタル情報とＣＴＬ信号との関係例を示す記録フォーマットである。
【符号の説明】
６・・・再生手段、９・・・判別手段、２５・・・ＣＰＵ（制御手段）、５５・・・ヘリカル再生ヘッド、５６・・・等化復号回路、７５・・・ＣＴＬ再生ヘッド、７６・・・キャプスタンドラムサーボ、７７・・・ＤＴ駆動器、８０・・・磁気テープ（情報記録媒体）、８１・・・エラー訂正器、９０・・・ビデオ伸長回路、９１・・・デューティ検出部、９２・・・メモリ部、９３・・・デューティ比較部、１００・・・情報再生装置
【図１】
2004310860.tif 000003
【図２】
2004310860.tif 000004
【図３】
2004310860.tif 000005
【図４】
2004310860.tif 000006
【図５】
2004310860.tif 000007
【図６】
2004310860.tif 000008
【図７】
2004310860.tif 000009
【図８】
2004310860.tif 000010
【図９】
2004310860.tif 000011
【図１０】
2004310860.tif 000012
【図１１】
2004310860.tif 000013